(57)【要約】      （修正有）【課題】本の汚染や破損を防止するための、安価で、生産性の高い本の表紙表面へ保護フィルムを貼り合わせる装置を提供する。【解決手段】枠２に設置した透明或いは半透明粘着フィルム６の供給部、単数或いは複数からなる透明粘着フィルムの方向変換バー４、方向変換バー近傍に設けた透明粘着フィルム６の裁断手段５及び作業台１とから貼り合わせ装置を構成し、透明粘着フィルムの裁断手段に、透明粘着フィルムを固定できる手段を付け加えることにより、透明粘着フィルムを、所定の位置に固定して裁断する。使用に当っては、フィルム供給部と作業台１の中間に設けた磁石を併用したフィルムの固定手段でフィルムを固定し、固定手段に設けたガイド溝に沿ってカッター刃裁断手段を滑らせることで、貼り合わせ作業を容易にし、同時に粘着面に離型紙が裏打ちされていないフィルムの使用を可能とし、材料費の低減も図る。【選択図】図１
0003158851.tif 000002
【実用新案登録請求の範囲】
【請求項１】
作業台、作業台の上に垂直方向に伸びた枠、枠の上方に設けた透明粘着フィルムの供給部、その下方に設けた単数或いは複数の透明粘着フィルムの方向変換バー、並びに変換バー近傍に設けた透明粘着フィルムの固定手段及び裁断手段を有し、本の表紙、或いは本から取り外したブックカバーを覆い、固着する本の表紙表面へ保護フィルムを貼り合わせる装置であって、透明粘着フィルムの固定手段で透明粘着フィルムを固定した状態で、フィルムを裁断することを特徴とする本の表紙、或いは本から取り外したブックカバーを覆い、固着する本の表紙表面へ保護フィルムを貼り合わせる装置。
【請求項２】
透明粘着フィルムの固定手段が、フィルムを前後から挟み付けて固定する２つの要素を有し、更に固定を強化するため、少なくとも１対の磁石が配置されていると共に、カッター刃裁断手段が通過するガイド溝を有していることを特徴とする請求項１記載の本の表紙、或いは本から取り外したブックカバーを覆い、固着する本の表紙表面へ保護フィルムを貼り合わせる装置。
【請求項３】
透明粘着フィルムの固定手段の表面が、透明粘着フィルムの粘着剤面が固着しない材料、或いは離型剤処理した材料からなることを特徴とする請求項１及び請求項２記載の本の表紙、或いは本から取り外したブックカバーを覆い、固着する本の表紙表面へ保護フィルムを貼り合わせる装置。
【請求項４】
透明粘着フィルムの固定手段に設けられたガイド溝を通過するカッター刃裁断手段は、固定された透明粘着フィルム面に対し、８８°から９２°の角度で接触し、裁断することを特徴とする請求項１、２、３に記載の本の表紙、或いは本から取り外したブックカバーを覆い、固着する本の表紙表面へ保護フィルムを貼り合わせる装置。
【考案の詳細な説明】
【技術分野】
【０００１】
本発明は、本の破損や汚染を防止するためにブックカバーが存在する、或いは存在しない状態で透明或いは半透明フィルムで本の表紙、或いは本から取り外したブックカバーを覆い、固着する本の表紙表面へ保護フィルムを貼り合わせる装置であって、より好ましくは粘着面が離型紙で裏打ちされていない粘着フィルムを用いる本の表紙表面へ保護フィルムを貼り合わせる装置に関する。
【背景技術】
【０００２】
従来、本の表紙全面に透明なフィルムを貼着する場合、本の表紙にブックカバーが存在する、あるいは存在しない状態でその上を予め裁断した粘着フィルムで覆い、貼り付けていた。
しかし、裁断したフィルムは取り扱いが難しいため、粘着剤塗布面を離型紙で裏打ちする必要があった。またフィルムと本の表紙或いはブックカバーとの間に空気を巻き込むと外観を損じるためフィルムの上からスポンジや布で擦って空気を抜く作業が不可欠であった。この作業には根気と熟練が要求され、時間もかかるためコストアップの要因となっていた。
【０００３】
前記問題点を解消するために、下記のような発明が開示されている。特許文献１記載のブックカバー貼り付け機は、二連コンベヤベルトに対して直角方向から本を閉じた状態で挿入し、本に透明粘着フィルムを貼り付けるものであり、特許文献２記載のブックカバー掛け器は、透明粘着フィルムの粘着面上に本の双方の表紙を展開して置き、表紙にフィルムを貼り付けていた。何れも透明粘着フィルムと本の間の空気抜き作業は改良されてはいるが、まだ十分ではなく、本を装置にセットするための時間が掛かり、作業は煩雑で、装置コストも無視できないという問題があった。
【先行技術文献】
【特許文献】
【０００４】
【特許文献１】特開平１-２１４４８３号公報
【特許文献２】実開昭５４−６８９２５号公報
【考案の概要】
【考案が解決しようとする課題】
【０００５】
本考案では前記の問題点を考慮し、本のカバー掛けを効率良く行うための方法を提供し、本のカバー掛けの生産性を向上すると共に、コスト低減を図ることを目的とした。
【課題を解決するための手段】
【０００６】
本考案では上記課題を解決するために、枠に設置した透明或いは半透明粘着フィルムの
供給部、単数或いは複数からなる透明粘着フィルムの方向変換バー、方向変換バー近傍に設けた透明粘着フィルムの裁断手段及び作業台とから貼り合わせ装置を構成し、透明粘着フィルムの裁断手段に、透明粘着フィルムを固定できる手段を付け加えることにより、透明粘着フィルムを、所定の位置に固定して裁断する。
【考案の効果】
【０００７】
本考案の装置は構成が単純であるため装置価格を安価にできる。また透明粘着フィルムの固定手段を備えたことにより、所定の位置で、正確に、片手で裁断処理が可能となり、透明粘着フィルムに張力を掛けるという余分な作業も省略され、生産性を更に向上できた。
【図面の簡単な説明】
【０００８】
【図１】本考案で使用した、貼り合わせ装置の側面の概略説明図である。
【図２】本考案の透明粘着フィルムの固定手段の側面の概略説明図である。
【考案を実施するための形態】
【０００９】
図１、図２に本考案の一実施例を示す。作業台は幅５００×奥行き６００で、作業する上面にはフィルムの粘着剤面が固着しない材料或いは離型剤処理したフィルム又はシートが、また底面にはゴム等からなる滑り止め材料が配置されている。
枠は幅５００×高さ４００であり、中央部より上方に透明粘着フィルム供給部３を、中央部より下方に透明粘着フィルム方向変換バー４及び透明粘着フィルム裁断手段５を備えている。
透明粘着フィルム裁断手段５は、透明粘着フィルム固定手段及びカッター刃裁断手段とから構成される。
固定手段は透明粘着フィルム６を前後から挟み込み固定する要素である裏側固定プレート８と表側固定プレート９及び固定を強化する磁石要素１１とを備えている。
２枚の固定プレートは、例えば蝶番を利用してフィルムを挟み込むような形でフィルムを固定し、この時に磁石はその固定する押さえ力を補強し、フィルム固定のための余分な労力を省く効果を有する。
この固定手段には、更にカッター刃裁断手段１０が通過できる水平方向のガイド用溝１２が設けられており、このガイド溝１２に沿ってカッター刃裁断手段１０を滑らせることにより、透明粘着フィルム６は容易に、且つ正確に裁断できる。
この透明粘着フィルムの本の表紙、或いは本から取り外したブックカバーへの貼り合わせは、先ず作業台後方の透明粘着フィルム供給部から透明粘着フィルムを作業台においた、例えば本の表紙まで導き、その一端を本の一方の裏表紙の縁から所定の位置に貼り付け、次いで表紙全体を覆うように貼り付け、固定手段で、所定の位置にフィルムを固定して裁断する。
フィルムロールが枠に固定されているため、フィルムの取り扱いが簡単となり、空気の巻き込みも容易に回避でき、操作も単純である。
【実施例１】
【００１０】
図１、図２に示す装置を用い、離型紙で裏打ちされていない透明粘着フィルムを本の表紙面に貼り合わせた。粘着フィルムの装着数は１時間当たり６２冊であった。結果を表１に示す。
【実施例２】
【００１１】
図２の固定手段を用いず、左手でフィルムに張力を掛けて裁断した以外は、実施例１と同様にして粘着フィルムを本の表紙に貼り付けた。粘着フィルムの装着数は１時間当たり５１冊であった。結果を表１に示す。
【実施例３】
【００１２】
予め所定の長さに裁断した離型紙で裏打ちされていない粘着フィルムを本の表紙に貼り付けた。フィルムに皺がよるため取り扱い難く、空気の巻き込みもあり、外観は劣る。粘着フィルムの装着数は１時間当たり１０冊であった。結果を表１に示す。
【００１３】
（表１）  
0003158851.tif 000003
【産業上の利用可能性】
【００１４】
本考案の本の表紙表面へ保護フィルムを貼り合わせる装置は、図書館や学校等本の汚染或いは破損防止が求められている分野で、安価な装置で、生産性を向上できるので有用である。
【符号の説明】
【００１５】
１ : 作業台、２ : 枠、３ : 透明粘着フィルムロール、４ : 透明粘着フィルム方向変換バー、５ : 透明粘着フィルム裁断手段、６ : 透明粘着フィルム、７ : 本の表紙、或いはブックカバー、８ : 裏側固定プレート、９ : 表側固定プレート、１０ : 裁断用カッター刃、１１ : 磁石、１２ : ガイド溝、１３ : 蝶番
【図１】
0003158851.tif 000004
【図２】
0003158851.tif 000005
【手続補正書】
【提出日】平成22年2月16日(2010.2.16)
【手続補正１】
【補正対象書類名】実用新案登録請求の範囲
【補正対象項目名】全文
【補正方法】変更
【補正の内容】
【実用新案登録請求の範囲】
【請求項１】
作業台、作業台の上に垂直方向に伸びた枠、枠の上方に設けた透明粘着フィルムの供給部、その下方に設けた単数或いは複数の透明粘着フィルムの方向変換バー、並びに変換バー近傍に設けた透明粘着フィルムの固定手段及び裁断手段を有し、本の表紙、或いは本から取り外したブックカバーを覆い、固着する本の表紙表面へ保護フィルムを貼り合わせる装置であって、透明粘着フィルムの固定手段で透明粘着フィルムを固定した状態で、フィルムを裁断することを特徴とする本の表紙、或いは本から取り外したブックカバーを覆い、固着する本の表紙表面へ保護フィルムを貼り合わせる装置。
【請求項２】
透明粘着フィルムの固定手段が、フィルムを前後から挟み付けて固定する２つの要素を有し、更に固定を強化するため、少なくとも１対の磁石が配置されていると共に、カッター刃裁断手段が通過するガイド溝を有していることを特徴とする請求項１記載の本の表紙、或いは本から取り外したブックカバーを覆い、固着する本の表紙表面へ保護フィルムを貼り合わせる装置。
【請求項３】
透明粘着フィルムの固定手段の表面が、透明粘着フィルムの粘着剤面が固着しない材料、或いは離型剤処理した材料からなることを特徴とする請求項１または２記載の本の表紙、或いは本から取り外したブックカバーを覆い、固着する本の表紙表面へ保護フィルムを貼り合わせる装置。
【請求項４】
透明粘着フィルムの固定手段に設けられたガイド溝を通過するカッター刃裁断手段は、固定された透明粘着フィルム面に対し、８８°から９２°の角度で接触し、裁断することを特徴とする請求項１及至３のいずれか１項に記載の本の表紙、或いは本から取り外したブックカバーを覆い、固着する本の表紙表面へ保護フィルムを貼り合わせる装置。